(57)【要約】【課題】一般家庭等で広く使用されている電子電気機器用のリモコンのキー部に後付けで安価に照明を実現することが出来るリモコン用小型照明装置を提供することにある。【解決手段】１）光源のＬＥＤからの光をＬＥＤの前面に設置された光制御部品により、拡散させ照射方向のキーに向けて発光するようにしたことを特徴とする。２）前記リモコン用小型照明装置において光制御部品に集光機能も併せ持たせることによって、非常時の簡易照明としても利用可能にした事を特徴とする。【選択図】図１
2011060693.tif 000002
【特許請求の範囲】
【請求項１】
内部にＬＥＤ等の発光素子を持ち、発光部前面に光源の光を拡散させ広範囲に照射させることを可能にする構造と、光源の光を集光する構造を有する光制御部品を設置したことを特徴とする電機機器リモコン用小型照明装置。
【請求項２】
前記リモコン用小型照明装置において、光源はＬＥＤ等の小型発光素子を使用することを特徴とした請求項１に記載のリモコン用小型照明装置。
【請求項３】
前記リモコン用小型照明装置において、光制御部品はＬＥＤ等の光源から照射された光を光制御部品の受光面に光の角度を広げるバターンと、発光面に光を拡散させるパターンを配したことを特徴とした請求項１に記載のリモコン用小型照明装置。
【請求項４】
前記リモコン用小型照明装置において、光制御部品はリモコンのキー部を照射する発光面とは別に光を集光するレンズ状の部位を有することを特徴とした請求項１に記載のリモコン用小型照明装置。
【請求項５】
前記リモコン用小型照明装置において、光制御部品はプラスチックで成形され、使用するプラスチックは透明または半透明のポリカーボネイトまたはアクリル樹脂等を材料とし、この一部にレーザー加工等により光に角度を与え、同時に拡散するパターンを表裏に形成し、異なる部位には光を集光するレンズ状の部位を配した光制御部品を有することを特徴とする請求項１に記載のリモコン用小型照明装置。
【請求項６】
前記リモコン用小型照明装置において、光制御部品はパターンを金型に直接描画し、射出成形等で成形しても同じ効果が得られることを特徴とした請求項１に記載のリモコン用小型照明装置。
【請求項７】
前記リモコン用小型照明装置において、光制御部品の光を拡散する部位と集光する部位は位置を変えることで拡散と集光という異なる目的に使用することを可能にすることを特徴とした請求項１に記載のリモコン用小型照明装置。
【請求項８】
前記リモコン用小型照明装置において、その一部にリモコンに装着するための粘着性テープまたは面ファスナテープあるいはこれと同等の効果を発揮する固定装置を有することを特徴とする請求項１に記載のリモコン用小型照明装置。
【請求項９】
前記リモコン用小型照明装置において、光制御部品はリモコンのキー部を目視識別するのに必要な明るさを有し、停電等の緊急時には集光するレンズ状の部位を利用し、一時的簡易的な照明としても使用可能なことを特徴とする請求項１に記載のリモコン用照明装置。
【発明の詳細な説明】
【技術分野】
【０００１】
この発明は、一般的に家庭等で使用される電子電気機器用のリモコンの操作を暗部でも可能にするようにした、低コストで発光するリモコン用小型照明装置に関するものである。
【背景技術】
【０００２】
従来一般家庭等で使用されるリモコン類に関してはキー部に照明のあるものはほとんど発表されていない。キー部の照明としては携帯電話に代表されるような例えば特開平９−６２２０１号公報（特許文献１参照）では、あらかじめリモコン製品内部に組込まれるキー部の照明に関して示されている。
【先行技術文献】
【特許文献】
【０００３】
【特許文献１】特開平９−６２２０１号公報
【発明の概要】
【発明が解決しようとする課題】
【０００４】
特開平９−６２２０１号公報（特許文献１参照）のキー部照明装置はリモコン製品の内部に組込む方法が示されており、既に購入したリモコンの照明としては使用することが出来ない。
【０００５】
この発明のリモコン用照明装置は、このような従来製品の問題点に対して、後付けで照明を得ることができ、かつ低コストで得られるようにした小型照明装置を提供することにある。
【課題を解決するための手段】
【０００６】
この発明のリモコン用小型照明装置は既存のリモコンのキー部全体を照射するために光制御部品をＬＥＤの前面に設置して光を拡散し、少ないＬＥＤでリモコンのキー部全体を照射できるようにしたことを特徴とするものである。
【０００７】
この発明のリモコン用小型照明装置において、光制御部品は光源の光を拡散する部位とは異なる部位に光を集光するレンズ状の部位が一体で成形されていることを特徴とするものである。
【０００８】
この発明のリモコン用小型照明装置は、その一部にリモコンに装着するための粘着性テープまたは面ファスナテープあるいはこれと同等の効果を発揮する固定装置を有することを特徴とするものである。
【０００９】
この発明のリモコン用小型照明装置は、小型のチップＬＥＤを使用することで、低コスト化と小型化および低消費電力を可能にしたことを特徴とするものである。
【００１０】
この発明のリモコン用小型照明装置は、薄型の電池にて発光し、電池は必要に応じて交換可能な状態で設置されていることを特徴とするものである。
【発明の効果】
【００１１】
この発明のリモコン用小型照明装置は光源の前面に光の拡散および集光を可能にした光制御部品を設置し、小型で安価なＬＥＤを光源とすることで既存のリモコン装置に低コストで光を供給できるようになった。また、光制御部品の一部にレンズ状の部位を取り付けて集光も可能にしたことで、停電等の非常時の簡易照明として使用可能なリモコン用小型照明装置を提供することが出来るようになった。
【図面の簡単な説明】
【００１２】
【図１】この発明のリモコン用小型照明装置の実施の携帯を示し、ＬＥＤ光源の前面に光制御部品を設置した断面構成図である。
【図２】この発明のリモコン用小型照明装置の光制御部品の拡散と集光構造を併せ持つ実施の形態であり、（Ａ）は正面図、（Ｂ）はその背面図である。
【図３】光制御部品の他の実施例であり、（Ａ）は要部斜視図、（Ｂ）はその断面図である。
【発明を実施するための形態】
【００１３】
以下、この発明のリモコン用小型照明装置を実施するための最良の形態を図面に基いて詳細に説明する。
図１はこの発明の実施例を示し、ＬＥＤ光源の前面に光制御部品を設置した断面構成国である。図２はこの発明の光制御部品の拡散と集光構造を併せ持つ実施例であり（Ａ）は正面図、同図（Ｂ）は背面から見た図である。図３は光制御部品の他の実施例であり、（Ａ）は要部斜視図、（Ｂ）はその断面図である。
【００１４】
図１においてこの発明のリモコン用小型照明装置は、ＬＥＤ光源の前面に光制御部品を設置して光の拡散と集光を実施可能としたことを特徴とする。
すなわち、光制御部品は基板１４に設置されたＬＥＤ１２の光を受けて前面に照射する構造である。光制御部品１１はプラスチック等で自由にデザインされたケース１６によって保持されており、接合部には光制御部品１１が可動することが可能な構造を備えている。ＬＥＤの電源は電池１５から供給され、ＬＥＤの点灯消灯はスイッチ１３で実施する構造である。
ケース１６にはリモコンに固定するための粘着性テープまたは面ファスナテープあるいはこれと同等の効果を発揮する固定装置（図示せず）を設置する。
【００１５】
図２は光制御部品１１の実施例で、図２（Ａ）において拡散部２１は光を拡散させるために、透明または半透明のポリカーポネイトまたはアクリル樹脂等を射出成型等で成形した材料の表面に微細な点状の加工を配している。集光部２２は光を集光するためのレンズ状の加工が施されている。同図（Ｂ）は光制御部品１１の拡散部２１の背面図で、Ｖ溝２３は光を水平方向に広げるための加工である。
【００１６】
図３は光制御部品の他の実施例で、図３（Ａ）において局面拡散部３１の表裏には図２（Ａ）の拡散部２１と同じ加工が施されている。裏面も図２（Ｂ）と同じ局面Ｖ溝２３の加工が施されている。局面集光部３２は図２（Ａ）の集光部２２と同じ加工が施されている。同図（Ｂ）はその断面図である。
【産業上の利用可能性】
【００１７】
この発明のリモコン用小型照明装置は、小型で低消費電力なＬＥＤを光源に使用し、光の制御もプラスチック部品で行うために低コストが実現でき、一般家庭やオフィス等ですでに使用されているリモコンへの後付け照明として使用できる。また小型かつ低コストであるためにリモコン以外でも簡易的な照明装置として種々の目的に使用可能である。
【符号の説明】
【００１８】
１１  光制御部品
ｔ２  ＬＥＤ
１３  スイッチ
１４  基板
１５  電池
１６  ケース
２１  拡散部
２２  集光部
２３  湾溝
３１  局面拡散部
３２  局面集光部
【図１】
2011060693.tif 000003
【図２】
2011060693.tif 000004
【図３】
2011060693.tif 000005